(57)【要約】      （修正有）【課題】組立て工数が少なく、製品構造が簡素で、生産コストを低くする。【解決手段】一方及び他方の分割型ハウジング１Ａ，１Ｂをそれぞれの合せ面１Ｃ，１Ｄで重ね合わせてコネクタハウジングを組立てることで、スペーサ部１０，４８で高周波基板７０を挟持し、一方及び他方の分割型ハウジング１Ａ，１Ｂのそれぞれの入力端子保持部１５，５３で入力端子７１を挟持すると共に、出力端子保持部２７，６４で一方及び他方の出力端子７２，７３を挟持することで、入力端子７１及び一方及び他方の出力端子７２，７３の固定を行ない、入力端子７１側の突起部の突起衝合部を入力端子側突起衝合部１７，５５に衝合し、また、一方及び他方の出力端子７２，７３側の突起部の突起衝合部を出力端子側突起衝合部２９，６６に衝合して入力端子７１及び一方及び他方の出力端子７２，７３の位置決めを行なう。【選択図】図７
2010272252.tif 000002
【特許請求の範囲】
【請求項１】
それぞれの合せ面で重ね合わせることでコネクタハウジングを構成する一方または他方の分割型ハウジングと、前記コネクタハウジング内に収納される基板ユニットを備え、前記基板ユニットは、基板に入力端子と出力端子を搭載した構成であり、前記一方または他方の分割型ハウジングは、基板ユニット収容部と、入力端子収容部と、出力端子収容部と、前記入力端子及び前記出力端子を位置決め固定する端子位置決め固定手段を有しており、前記基板ユニットを前記基板ユニット収容部内に収納し、且つ、前記入力端子収容部に前記入力端子を収容すると共に、前記出力端子収容部に前記出力端子を収容して、前記一方または他方の分割型ハウジングをそれぞれの合せ面で重ね合わせて組立てることで、前記端子位置決め固定手段を用いて前記入力端子及び前記出力端子を位置決め固定するようにしたことを特徴とする高周波同軸コネクタ。
【請求項２】
前記一方または他方の分割型ハウジングは基板ユニット位置決め固定手段を有しており、前記基板ユニットを前記基板ユニット収容部内に収納し、前記基板ユニット位置決め固定手段を用いて前記基板ユニットを位置決め固定するようにしたことを特徴とする請求項１に記載の高周波同軸コネクタ。
【請求項３】
前記基板ユニット位置決め固定手段は、前記基板ユニット収容部の何れか一方に、一方のスペーサ部を突設して、これら一方のスペーサ部に位置決め用ピン孔を設け、他方の前記基板ユニット収容部に他方のスペーサ部を突設して、これら他方のスペーサ部に位置決め用ピンを設けると共に、前記基板に位置決め用孔部を設けて構成してあり、前記位置決め用ピンを前記位置決め用孔部から前記位置決め用ピン孔に圧入して、前記一方及び他方のスペーサ部で前記基板を挟持するようにしたことを特徴とする請求項２に記載の高周波同軸コネクタ。
【請求項４】
前記入力端子及び前記一方及び他方の出力端子は、外筒が絶縁座を介して中心端子を保持した構成であり、前記端子位置決め固定手段は、前記外筒の周部に突起部を突設し、前記入力端子収容部に、前記入力端子を挟持する入力端子保持部と、前記入力端子側の前記突起部が衝合する入力端子側突起衝合部を設け、前記出力端子収容部に、前記一方及び他方の出力端子を挟持する出力端子保持部と、前記出力端子側の前記突起部が衝合する出力端子側突起衝合部を設けて構成してあることを特徴とする請求項１乃至請求項３の何れかの一に記載の高周波同軸コネクタ。
【請求項５】
前記入力端子及び前記一方及び他方の出力端子は、前記絶縁座に絶縁座側突起部を突設して、この絶縁座側突起部を前記外筒外に突出させており、前記入力端子保持部及び前記出力端子保持部に突起挿入凹部を設けていて、前記絶縁座側突起部を前記突起挿入凹部に挿入するようにしたことを特徴とする請求項４に記載の高周波同軸コネクタ。
【請求項６】
前記入力端子側突起衝合部が前記入力端子保持部に設けた段差部であり、前記出力端子側突起衝合部が前記出力端子保持部に設けた段差部であり、前記外筒の先部はプラグ端子嵌合部にしてあり、前記外筒の周部に、前記プラグ端子嵌合部とは反対側に突起側衝合部を有する前記突起部を周方向に複数設け、これらの突起側衝合部を前記段差部に衝合させるようにしたことを特徴とする請求項４又は請求項５に記載の高周波同軸コネクタ。
【請求項７】
前記入力端子側突起衝合部が前記入力端子保持部に設けた凹溝よりなる突起衝合溝の両壁部分であり、前記出力端子側突起衝合部が前記出力端子保持部に設けた凹溝よりなる突起衝合溝の両側壁部であり、前記外筒の先部はプラグ端子嵌合部にしてあり、前記外筒の周部に、前記プラグ端子嵌合部とは反対側に突起側衝合部を有する前記突起部と、前記プラグ端子嵌合部側に突起側衝合部を有する前記突起部とを周方向に交互に複数設け、これらの突起側衝合部を前記突起衝合溝の側壁部に衝合させるようにしたことを特徴とする請求項４又は請求項５に記載の高周波同軸コネクタ。
【請求項８】
前記基板ユニットは、高周波基板に、分波素子と前記入力端子と複数の前記出力端子を搭載して構成してあり、前記入力端子からの入力信号は、前記分波素子により周波数の違いによって分けられて前記出力端子から別々に取り出されることを特徴とする請求項１乃至請求項７の何れかの一に記載の高周波同軸コネクタ。
【発明の詳細な説明】
【技術分野】
【０００１】
本発明は、例えば、信号を分波する分波器として使用する高周波同軸コネクタに関する。
【背景技術】
【０００２】
一般に、入力端子からの入力信号を、分波素子により周波数の違いによって分けて一方及び他方の出力端子から別々に出力信号として取り出す受信用分波器がある。そして、従来の分波器としては、この機器のシャーシの内部に分波回路基板を配設し、シャーシの端壁部に、同軸コネクタ型の入力端子及び出力端子を取付けて、入力端子及び出力端子の中心導体を分波回路基板に接続し、これらの入力端子及び出力端子に、同軸ケーブルの先端に設けられたプラグを連結するようにしたものがある（特許文献１参照）。
【０００３】
このような分波器の場合、シャーシの端壁部に取付穴を設けると共に、その取付穴の一辺に沿って変形可能部が形成してある。また、入力端子及び出力端子としては、そのコネクタ本体は、機器のシャーシの一面に当接されると共に、シャーシの取付穴を通過できない大きさの第一当接部と、取付穴を通過させてスライドさせた時にシャーシの他面に当接すると共に、第一当接部より端部側に形成された第二当接部と、第一当接部と第二当接部との間に形成され、且つシャーシを形成しているシャーシ板を挟持する係合溝とを備えている。
【０００４】
そして、シャーシの取付穴に入力端子及び出力端子を第二当接部配置側から挿人し、第一当接部の当接面をシャーシの一面に当接させ、その後、入力端子及び出力端子を第一当接部の当接面に平行に移動して、第二当接部をシャーシの他面に当接させることにより、係合溝をシャーシに係合させ、変形可能部をシャーシの穴の中央部に向かって変形させることでシャーシに入力端子及び出力端子を取付けていた。
【先行技術文献】
【特許文献】
【０００５】
【特許文献１】特開平８−１３８８０２号公報
【発明の概要】
【発明が解決しようとする課題】
【０００６】
上記した従来の分波器にあっては、シャーシの内部に分波回路基板を配設し、シャーシの端壁部に、同軸コネクタ型の入力端子及び出力端子を取付けて、入力端子及び出力端子の中心導体を分波回路基板に接続する構成であり、特に、入力端子及び出力端子のシャーシの端壁部への取付が複雑であるために、組立て工数が多くなるし、製品構造が複雑になって、生産コストが高くなる等の課題がある。
【０００７】
本発明は上記の課題を解決するものであり、その目的とするところは、組立て工数が少なくなるし、製品構造が簡素になって、生産コストを低くすることができる高周波同軸コネクタを提供することである。
【課題を解決するための手段】
【０００８】
上記の目的を達成するために、本発明に係る高周波同軸コネクタは、それぞれの合せ面で重ね合わせることでコネクタハウジングを構成する一方または他方の分割型ハウジングと、コネクタハウジング内に収納される基板ユニットを備え、基板ユニットは、基板に入力端子と出力端子を搭載した構成であり、一方または他方の分割型ハウジングは、基板ユニット収容部と、入力端子収容部と、出力端子収容部と、入力端子及び出力端子を位置決め固定する端子位置決め固定手段を有しており、基板ユニットを基板ユニット収容部内に収納し、且つ、入力端子収容部に入力端子を収容すると共に、出力端子収容部に出力端子を収容して、一方または他方の分割型ハウジングをそれぞれの合せ面で重ね合わせて組立てることで、端子位置決め固定手段を用いて前記入力端子及び前記出力端子を位置決め固定するようにしたことを特徴とする。
【０００９】
かかる構成により、一方または他方の分割型ハウジングをそれぞれの合せ面で重ね合わせてコネクタハウジングを組立てることで、基板ユニット収容部に基板ユニットを収容し、入力端子収容部に入力端子を収容し、出力端子収容部に出力端子を収容すると共に、端子位置決め固定手段を用いて入力端子及び出力端子を位置決め固定するように、コネクタハウジングの組み込みと同時に基板ユニットを収容固定することができる。このために、組立て工数が少なくなるし、製品構造が簡素になって、生産コストを低くすることができる。
【００１０】
また、本発明に係る高周波同軸コネクタは、上記した本発明に係る高周波同軸コネクタにおいて、一方または他方の分割型ハウジングが、基板ユニット位置決め固定手段を有しており、基板ユニットを基板ユニット収容部内に収納し、基板ユニット位置決め固定手段を用いて基板ユニットを位置決め固定するようにしたことを特徴とする。
【００１１】
かかる構成により、一方または他方の分割型ハウジングをそれぞれの合せ面で重ね合わせてコネクタハウジングを組立てることで、基板ユニットを基板ユニット収容部内に収納して、基板ユニット位置決め固定手段を用いて基板ユニットを位置決め固定するように、コネクタハウジングの組み込みと同時に基板ユニットを収容固定することができる。このために、組立て工数が少なくなるし、製品構造が簡素になって、生産コストを低くすることができる。
【００１２】
また、本発明に係る高周波同軸コネクタは、上記した本発明に係る高周波同軸コネクタにおいて、基板ユニット位置決め固定手段が、基板ユニット収容部の何れか一方に、一方のスペーサ部を突設して、これら一方のスペーサ部に位置決め用ピン孔を設け、他方の基板ユニット収容部に他方のスペーサ部を突設して、これら他方のスペーサ部に位置決め用ピンを設けると共に、基板に位置決め用孔部を設けて構成してあり、位置決め用ピンを位置決め用孔部から位置決め用ピン孔に圧入して、一方及び他方のスペーサ部で基板を挟持するようにしたことを特徴とする。
【００１３】
かかる構成により、一方及び他方の分割型ハウジングをそれぞれの合せ面で重ね合わせてコネクタハウジングを組立てることで、位置決め用ピンを位置決め用孔部から位置決め用ピン孔に圧入して、一方及び他方のスペーサ部で基板を挟持するようにして、コネクタハウジングの組み込みと同時に基板ユニットをコネクタハウジングに収容固定することができる。
【００１４】
また、本発明に係る高周波同軸コネクタは、上記した本発明に係る高周波同軸コネクタにおいて、入力端子及び一方及び他方の出力端子が、外筒が絶縁座を介して中心端子を保持した構成であり、端子位置決め固定手段が、外筒の周部に突起部を突設し、入力端子収容部に、入力端子を挟持する入力端子保持部と、入力端子側の突起部が衝合する入力端子側突起衝合部を設け、出力端子収容部に、一方及び他方の出力端子を挟持する出力端子保持部と、出力端子側の突起部が衝合する出力端子側突起衝合部を設けて構成してあることを特徴とする。
【００１５】
かかる構成により、一方及び他方の分割型ハウジングをそれぞれの合せ面で重ね合わせてコネクタハウジングを組立てることで、一方及び他方の分割型ハウジングのそれぞれの入力端子保持部で入力端子を挟持すると共に、出力端子保持部で一方及び他方の出力端子を挟持して、入力端子及び一方及び他方の出力端子の固定を行なうことができるし、また、入力端子側の突起部を入力端子側突起衝合部に衝合し、また、一方及び他方の出力端子側の突起部を出力端子側突起衝合部に衝合して入力端子及び一方及び他方の出力端子の位置決めを行なうことができる。しかも、入力端子及び一方及び他方の出力端子のそれぞれにプラグ（コネクタ）を挿抜する際に、このプラグ挿抜の負荷が入力端子及び一方及び他方の出力端子に加わるが、このようなプラグ挿抜の負荷に対して上記した位置決めで対処することができて、入力端子及び一方及び他方の出力端子の基板半田付け部分への負荷を軽減することができる。
【００１６】
また、本発明に係る高周波同軸コネクタは、上記した本発明に係る高周波同軸コネクタにおいて、入力端子及び一方及び他方の出力端子が、絶縁座に絶縁座側突起部を突設して、この絶縁座側突起部を外筒外に突出させており、入力端子保持部及び出力端子保持部に突起挿入凹部を設けていて、絶縁座側突起部を突起挿入凹部に挿入するようにしたことを特徴とする。
【００１７】
かかる構成により、一方及び他方の分割型ハウジングをそれぞれの合せ面で重ね合わせてコネクタハウジングを組立てることで、入力端子側の突起部を入力端子側突起衝合部に衝合し、また、一方及び他方の出力端子側の突起部を出力端子側突起衝合部に衝合して入力端子及び一方及び他方の出力端子の位置決めを行なった際に、絶縁座側突起部を突起挿入凹部に挿入することで、入力端子及び一方及び他方の出力端子のより一層の位置決めが可能になり、入力端子及び一方及び他方の出力端子の基板半田付け部分への負荷をより一層軽減することができる。
【００１８】
また、本発明に係る高周波同軸コネクタは、上記した本発明に係る高周波同軸コネクタにおいて、入力端子側突起衝合部が入力端子保持部に設けた段差部であり、出力端子側突起衝合部が出力端子保持部に設けた段差部であり、外筒の先部はプラグ端子嵌合部にしてあり、外筒の周部に、プラグ端子嵌合部とは反対側に突起側衝合部を有する突起部を周方向に複数設け、これらの突起側衝合部を段差部に衝合させるようにしたことを特徴とする。
【００１９】
かかる構成により、一方及び他方の分割型ハウジングをそれぞれの合せ面で重ね合わせてコネクタハウジングを組立てることで、入力端子側の突起部を入力端子側突起衝合部に衝合し、また、一方及び他方の出力端子側の突起部を出力端子側突起衝合部に衝合して入力端子及び一方及び他方の出力端子の位置決めを行なうにあたって、プラグ端子嵌合部とは反対側にある突起側衝合部が、入力端子側突起衝合部である段差部に衝合し、出力端子側突起衝合部である段差部に衝合するようになるために、プラグ挿抜の抜き方向の負荷に対して対処することができて、入力端子及び一方及び他方の出力端子の基板半田付け部分への負荷を軽減することができる。
【００２０】
また、本発明に係る高周波同軸コネクタは、上記した本発明に係る高周波同軸コネクタにおいて、入力端子側突起衝合部が入力端子保持部に設けた凹溝よりなる突起衝合溝の両壁部分であり、出力端子側突起衝合部が出力端子保持部に設けた凹溝よりなる突起衝合溝の両側壁部であり、外筒の先部はプラグ端子嵌合部にしてあり、外筒の周部に、プラグ端子嵌合部とは反対側に突起側衝合部を有する突起部と、プラグ端子嵌合部側に突起側衝合部を有する突起部とを周方向に交互に複数設け、これらの突起側衝合部を突起衝合溝の側壁部に衝合させるようにしたことを特徴とする。
【００２１】
かかる構成により、一方及び他方の分割型ハウジングをそれぞれの合せ面で重ね合わせてコネクタハウジングを組立てることで、入力端子側の突起部を入力端子側突起衝合部に衝合し、また、一方及び他方の出力端子側の突起部を出力端子側突起衝合部に衝合して入力端子及び一方及び他方の出力端子の位置決めを行なうにあたって、プラグ端子嵌合部とは反対側にある突起側衝合部が、入力端子側突起衝合部及び出力端子側突起衝合部である凹溝の片方の側壁部に衝合し、プラグ端子嵌合部側にある突起側衝合部が、入力端子側突起衝合部及び出力端子側突起衝合部である凹溝の他の片方の側壁部に衝合するようになるために、プラグ挿抜の両方向の負荷に対して対処することができて、入力端子及び一方及び他方の出力端子の基板半田付け部分への負荷を軽減することができる。
【００２２】
また、本発明に係る高周波同軸コネクタは、上記した本発明に係る高周波同軸コネクタにおいて、基板ユニットは、高周波基板に、分波素子と入力端子と複数の出力端子を搭載して構成してあり、入力端子からの入力信号は、分波素子により周波数の違いによって分けられて出力端子から別々に取り出されることを特徴とする。
【００２３】
かかる構成により、高周波同軸コネクタを、信号を分波する分波器として構成することができる。
【発明の効果】
【００２４】
本発明に係る高周波同軸コネクタによれば、一方または他方の分割型ハウジングをそれぞれの合せ面で重ね合わせてコネクタハウジングを組立てることで、基板ユニット収容部に基板ユニットを収容し、入力端子収容部に入力端子を収容し、出力端子収容部に出力端子を収容すると共に、端子位置決め固定手段を用いて入力端子及び出力端子を位置決め固定するように、コネクタハウジングの組み込みと同時に基板ユニットを収容固定することができる。このために、組立て工数が少なくなるし、製品構造が簡素になって、生産コストを低くすることができる。
【００２５】
また、本発明に係る高周波同軸コネクタによれば、一方または他方の分割型ハウジングをそれぞれの合せ面で重ね合わせてコネクタハウジングを組立てることで、基板ユニットを基板ユニット収容部内に収納して、基板ユニット位置決め固定手段を用いて基板ユニットを位置決め固定するように、コネクタハウジングの組み込みと同時に基板ユニットを収容固定することができる。このために、組立て工数が少なくなるし、製品構造が簡素になって、生産コストを低くすることができる。
【００２６】
また、本発明に係る高周波同軸コネクタによれば、一方及び他方の分割型ハウジングをそれぞれの合せ面で重ね合わせてコネクタハウジングを組立てることで、位置決め用ピンを位置決め用孔部から位置決め用ピン孔に圧入して、一方及び他方のスペーサ部で基板を挟持するようにして、コネクタハウジングの組み込みと同時に基板ユニットをコネクタハウジングに収容固定することができる。
【００２７】
また、本発明に係る高周波同軸コネクタによれば、一方及び他方の分割型ハウジングをそれぞれの合せ面で重ね合わせてコネクタハウジングを組立てることで、一方及び他方の分割型ハウジングのそれぞれの入力端子保持部で入力端子を挟持すると共に、出力端子保持部で一方及び他方の出力端子を挟持して、入力端子及び一方及び他方の出力端子の固定を行なうことができるし、また、入力端子側の突起部を入力端子側突起衝合部に衝合し、また、一方及び他方の出力端子側の突起部を出力端子側突起衝合部に衝合して入力端子及び一方及び他方の出力端子の位置決めを行なうことができる。しかも、入力端子及び一方及び他方の出力端子のそれぞれにプラグ（コネクタ）を挿抜する際に、このプラグ挿抜の負荷が入力端子及び一方及び他方の出力端子に加わるが、このようなプラグ挿抜の負荷に対して上記した位置決めで対処することができて、入力端子及び一方及び他方の出力端子の基板半田付け部分への負荷を軽減することができる。
【００２８】
また、本発明に係る高周波同軸コネクタによれば、一方及び他方の分割型ハウジングをそれぞれの合せ面で重ね合わせてコネクタハウジングを組立てることで、入力端子側の突起部を入力端子側突起衝合部に衝合し、また、一方及び他方の出力端子側の突起部を出力端子側突起衝合部に衝合して入力端子及び一方及び他方の出力端子の位置決めを行なった際に、絶縁座側突起部を突起挿入凹部に挿入することで、入力端子及び一方及び他方の出力端子のより一層の位置決めが可能になり、入力端子及び一方及び他方の出力端子の基板半田付け部分への負荷をより一層軽減することができる。
【００２９】
また、本発明に係る高周波同軸コネクタによれば、一方及び他方の分割型ハウジングをそれぞれの合せ面で重ね合わせてコネクタハウジングを組立てることで、入力端子側の突起部を入力端子側突起衝合部に衝合し、また、一方及び他方の出力端子側の突起部を出力端子側突起衝合部に衝合して入力端子及び一方及び他方の出力端子の位置決めを行なうにあたって、プラグ端子嵌合部とは反対側にある突起側衝合部が、入力端子側突起衝合部である段差部及び出力端子側突起衝合部である段差部に衝合するようになるために、プラグ挿抜の抜き方向の負荷に対して対処することができて、入力端子及び一方及び他方の出力端子の基板半田付け部分への負荷を軽減することができる。
【００３０】
また、本発明に係る高周波同軸コネクタによれば、一方及び他方の分割型ハウジングをそれぞれの合せ面で重ね合わせてコネクタハウジングを組立てることで、入力端子側の突起部を入力端子側突起衝合部に衝合し、また、一方及び他方の出力端子側の突起部を出力端子側突起衝合部に衝合して入力端子及び一方及び他方の出力端子の位置決めを行なうにあたって、プラグ端子嵌合部とは反対側にある突起側衝合部が、入力端子側突起衝合部及び出力端子側突起衝合部である凹溝の片方の側壁部に衝合し、プラグ端子嵌合部側にある突起側衝合部が、入力端子側突起衝合部及び出力端子側突起衝合部である凹溝の他の片方の側壁部に衝合するようになるために、プラグ挿抜の両方向の負荷に対して対処することができて、入力端子及び一方及び他方の出力端子の基板半田付け部分への負荷を軽減することができる。
【００３１】
また、本発明に係る高周波同軸コネクタによれば、高周波同軸コネクタを、信号を分波する分波器として構成することができる。
【図面の簡単な説明】
【００３２】
【図１】本発明に係る高周波同軸コネクタの実施例１の斜視図である。
【図２】同高周波同軸コネクタの分解状態の斜視図である。
【図３】同高周波同軸コネクタの平面図である。
【図４】同高周波同軸コネクタの底面図である。
【図５】図３のＢ方向からの矢視図である。
【図６】図３のＣ方向からの矢視図である。
【図７】図３のＡ−Ａ線に沿う断面図である。
【図８】一方の分割型ハウジングの平面図である。
【図９】図８のＤ−Ｄ線に沿う断面図である。
【図１０】他方の分割型ハウジングの平面図である。
【図１１】図１０のＥ−Ｅ線に沿う断面図である。
【図１２】高周波基板の平面図である。
【図１３】入力端子及び一方及び他方の出力端子の斜視図である。
【図１４】同入力端子及び一方及び他方の出力端子の断面図である。
【図１５】外筒の一部破断した平面図である。
【図１６】外筒の一部破断した側面図である。
【図１７】外筒の一部破断した背面図である。
【図１８】中心端子の側面図である。
【図１９】絶縁体の一部破断した側面図である。
【図２０】本発明に係る高周波同軸コネクタの実施例２の断面図である。
【図２１】入力端子及び一方及び他方の出力端子の斜視図である。
【図２２】入力端子側の一方の突起部を入力端子側突起衝合部に衝合した状態の説明図である。
【図２３】出力端子側の一方の突起部を出力端子側突起衝合部に衝合した状態の説明図である。
【図２４】入力端子側の他方の突起部を入力端子側突起衝合部に衝合した状態の説明図である。
【図２５】出力端子側の他方の突起部を出力端子側突起衝合部に衝合した状態の説明図である。
【発明を実施するための最良の形態】
【００３３】
本発明に係る実施例に係る高周波同軸コネクタは、組立て工数を少なくし、製品構造を簡素にし、生産コストを低くするという目的を、一方または他方の分割型ハウジングをそれぞれの合せ面で重ね合わせてコネクタハウジングを組立てることで、基板ユニットを基板ユニット収容部内に収納すると共に、基板ユニット位置決め固定手段を用いて基板ユニットを位置決め固定し、入力端子収容部に入力端子を収容し、出力端子収容部に出力端子を収容すると共に、端子位置決め固定手段を用いて入力端子及び出力端子を位置決め固定するように、コネクタハウジングの組み込みと同時に基板ユニットを収容固定することで実現した。
【実施例１】
【００３４】
図１及び図２に示すように、本発明の実施例１に係る高周波同軸コネクタは、コネクタハウジング１とコネクタハウジング１内に収納される基板ユニット２とに大別することができる。コネクタハウジング１は分割型であって、一方の分割型ハウジング１Ａと他方の分割型ハウジング１Ｂとで構成してあって、一方の分割型ハウジング１Ａに他方の分割型ハウジング１Ｂを、それぞれの合せ面１Ｃ，１Ｄで重ね合わせることでコネクタハウジング１が組み合わされる。
【００３５】
図８及び図９に示すように、一方の分割型ハウジング１Ａは、平面長方形状の基板ユニット収容部４と、基板ユニット収容部４の一端側に形成された入力端子収容部５と、基板ユニット収容部４の他端側に形成された一方及び他方の出力端子収容部６，７とを有している。
【００３６】
基板ユニット収容部４は、その底面部８の周囲に立壁部９を形成した構成であり、また、底面部８には四つのスペーサ部１０が突設してあって、スペーサ部１０には位置決め用ピン孔１１が設けてある。
【００３７】
入力端子収容部５は、底面部１２と、底面部１２の両側に位置する側壁部１３ａ，１３ｂを有しており、側壁部１３ａ，１３ｂは基板ユニット収容部４の立壁部９の一端側部位９ｃに連なっている。そして、入力端子収容部５と基板ユニット収容部４との間の立壁部９は境界部１４になっていて、境界部１４は肉厚にしてある。
【００３８】
そして、境界部１４には、基板ユニット収容部４側に位置させて正面半円弧形状の溝部からなる入力端子保持部１５が形成してあり、入力端子保持部１５には、入力端子収容部５側に位置させて段差部よりなる入力端子側突起衝合部１７が形成してある。また、入力端子保持部１５の中央には突起挿入凹部１８が形成してある。
【００３９】
図８及び図９に示すように、一方の出力端子収容部６と他方の出力端子収容部７とは、基板ユニット収容部４の他端側に並べて配置してあり、一方の出力端子収容部６と他方の出力端子収容部７とは中間壁部２０により区画されて、中間壁部２０を中心にして面対称をなしている。そして、一方及び他方の出力端子収容部６，７は、底面部２１と、中間壁部２０に対向する側面側立壁部２２を有している。
【００４０】
そして、側面側立壁部２２は基板ユニット収容部４の立壁部９の他端側部位９ｄに連なっている。また、一方の出力端子収容部６と基板ユニット収容部４との間の立壁部９は境界部２５になっており、また、他方の出力端子収容部７と基板ユニット収容部４との間の立壁部９は境界部２６になっていて、境界部２５，２６は肉厚にしてある。
【００４１】
そして、境界部２５，２６には、基板ユニット収容部４側に位置させて正面半円弧形状の溝部からなる出力端子保持部２７が形成してあり、出力端子保持部２７には、出力端子収容部６，７側に位置させて段差部よりなる出力端子側突起衝合部２９が形成してある。また、出力端子保持部２７の中央には突起挿入凹部３０が形成してある。
【００４２】
そして、基板ユニット収容部４の立壁部９と、入力端子収容部５の側壁部１３ａ，１３ｂと、一方の出力端子収容部６と他方の出力端子収容部７との間の中間壁部２０と、一方及び他方の出力端子収容部６、７の側面側立壁部２２とは同じ高さであって、それぞれ端面部は同一平面内に位置していて、上記した一方の分割型ハウジング１Ａの合せ面１Ｃを形成している。
【００４３】
また、図４及び図９に示すように、一方の分割型ハウジング１Ａの表面部１ａには取付部３１が形成してある。取付部３１は、一対の相手部材挿入部３２と係合突起部３３とで構成してある。
【００４４】
図１０及び図１１に示すように、他方の分割型ハウジング１Ｂは、平面長方形状の基板ユニット収容部４１と、基板ユニット収容部４１の一端側に形成された一方の入力端子収容部４２と、基板ユニット収容部４１の他端側に形成された一方及び他方の出力端子収容部４３，４４とを有している。
【００４５】
基板ユニット収容部４１は、その底面部４５の周囲に立壁部４６を形成した構成であり、また、底面部４５には四つのスペーサ部４８が突設してあって、スペーサ部４８には位置決め用ピン４９が突設してある。
【００４６】
入力端子収容部４２は、底面部５０と、底面部５０の両側に位置する側面部５１ａ，５１ｂを有しており、側面部５１ａ，５１ｂは基板ユニット収容部４１の立壁部４６の一端側部位４６ｃに連なっている。そして、入力端子収容部４２と基板ユニット収容部４１との間の立壁部４６は境界部５２にしてあり、境界部５２は肉厚にしてある。
【００４７】
そして、境界部５２には正面半円弧形状の溝部からなる入力端子保持部５３が形成してあり、入力端子保持部５３には、入力端子収容部４２側に位置させて段差部よりなる入力端子側突起衝合部５５が形成してある。
【００４８】
一方の出力端子収容部４３と他方の出力端子収容部４４とは、基板ユニット収容部４１の他端側に並べて配置してあり、一方の出力端子収容部４３と他方の出力端子収容部４４とは中間壁部５７により区画されて、中間壁部５７を中心にして面対称をなしている。そして、一方及び他方の出力端子収容部４３，４４は、底面部５８と、中間壁部５７に対向する側壁部５９を有している。そして、両側壁部５９は入力端子収容部４２の他端側部位４６ｄに連なっている。
【００４９】
また、一方の出力端子収容部４３と基板ユニット収容部４１との境界部６２及び他方の出力端子収容部４４と基板ユニット収容部４１との境界部６３は、基板ユニット収容部４１の他端側部位４６ｄに連なっていて、境界部６２，６３は肉厚になされている。
【００５０】
そして、境界部６２，６３には、基板ユニット収容部４側に位置させて正面半円弧形状の溝部からなる出力端子保持部６４が形成してあり、出力端子保持部６４には、出力端子収容部４３，４４側に位置させて段差部よりなる出力端子側突起衝合部６６が形成してある。
【００５１】
そして、基板ユニット収容部４１の立壁部４６と、入力端子収容部５の側面部５１ａ，５１ｂと、中間壁部５７と、一方及び他方の出力端子収容部４３，４４の側壁部５９とは同じ高さであって、それぞれ端面部は同一平面内に位置していて、上記した他方の分割型ハウジング１Ｂの合せ面１Ｄを形成している。
【００５２】
また、入力端子収容部４２の底面部５０の先側には一対の係止孔６８が形成してあり、一方及び他方の出力端子収容部４３、４４の底面部５８の先側には一対の係止孔６９が形成してある。
【００５３】
図２に示すように、基板ユニット２は、高周波基板７０と一つの入力端子７１と二つの出力端子７２，７３を備えている。図１２に示すように、高周波基板７０は基板本体７０Ａを有しており、基板本体７０Ａの表面には分波回路パターン７４が形成してある。そして、図２に示すように、分波回路パターン７４には分波素子７５が搭載してある。
【００５４】
図１２に示すように、分波回路パターン７４は、入力信号導入パターン７６、一方の出力信号導出パターン７７、他方の出力信号導出パターン７８、入力信号導入パターン７６の両側方の接地パターン７６ａ、一方の出力信号導出パターン７７の両側方の接地パターン７７ａ、他方の出力信号導出パターン７８の両側方の接地パターン７８ａを備えている。また、基板本体７０Ａには四つの位置決め用孔部７９が設けてある。
【００５５】
図１３及び図１４に示すように、入力端子７１及び一方及び他方の出力端子７２，７３は同じ構成であり、入力端子７１及び一方及び他方の出力端子７２，７３は、外筒８０が絶縁座８１を介して中心端子８２を保持した構成である。
【００５６】
図１３乃至図１６に示すように、外筒８０の先部はプラグ端子嵌合部８３にしてあり、外筒８０の周部には、図１７において上半部の左右及び下半部の左右にそれぞれ突起部８４が突設してある。突起部８４は、外筒８０の一部を外方に切り起こしたものであって、突起部８４の突起衝合部８４ａはプラグ端子嵌合部８３とは反対側に位置している。また、外筒８０のプラグ端子嵌合部８３とは反対側の端部には一対の外筒端子８５が形成してあり、また、図１６に示すように、外筒８０のプラグ端子嵌合部８３とは反対側の端部には切欠き部８６が形成してある。また、図１５に示すように、外筒８０の周部には係止片部８７が形成してある。
【００５７】
また、図１９に示すように、絶縁座８１の中心部には端子圧入孔部８９が形成してあり、絶縁座８１の、図１９において後側下部には絶縁座側突起部９０が突設してある。また、絶縁座８１の、図１９において上半部の中央には係止凹部９０ａが形成してある。
【００５８】
そして、図１４に示すように、絶縁座８１の端子圧入孔部８９には、図１８に示す中心端子８２が圧入してあって、中心端子８２のコンタクト部８２ａは、絶縁座８１の先端部より外方に突出しており、中心端子８２の接続片部８２ｂは絶縁座８１の後端部より外方に突出している。そして、絶縁座８１は外筒８０内に挿入してあって、外筒８０の係止片部８７を係止凹部９０ａに係止することで、絶縁座８１は外筒８０に固定してある。この場合、中心端子８２のコンタクト部８２ａは外筒８０のプラグ端子嵌合部８３内に位置しており、絶縁座側突起部９０が外筒８０の切欠き部８６に挿入してあって、絶縁座側突起部９０が外筒８０外に突出している。
【００５９】
そして、図１２に示すように、入力端子７１は、その中心端子８２の接続片部８２ｂを入力信号導入パターン７６に半田付けにより接続し、一対の外筒端子８５を接地パターン７６ａに半田付けにより接続して高周波基板７０の一端部に搭載してある。また、一方の出力端子７２は、その中心端子８２の接続片部８２ｂを一方の出力信号導出パターン７７に半田付けにより接続し、一対の外筒端子８５を接地パターン７７ａに半田付けにより接続して高周波基板７０の他端部に搭載してある。また、他方の出力端子７３は、その中心端子８２の接続片部８２ｂを他方の出力信号導出パターン７８に半田付けにより接続し、一対の外筒端子８５を接地パターン７８ａに半田付けにより接続して高周波基板７０の他端部に搭載してある。
【００６０】
そして、一方の分割型ハウジング１Ａ側の四つのスペーサ部１０と、スペーサ部１０に設けた位置決め用ピン孔１１と、他方の分割型ハウジング１Ｂ側の四つのスペーサ部４８と、スペーサ部４８に設けた位置決め用ピン４９と、高周波基板７０の四つの位置決め用孔部７９とで基板ユニット位置決め固定手段が構成してある。
【００６１】
また、外筒８０の周部に突設した突起部８４と、入力端子７１を挟持する入力端子保持部１５，５３と、突起部８４が衝合する入力端子側突起衝合部１７，５５とで入力端子位置決め固定手段が構成してあり、外筒８０の周部に突設した突起部８４と、一方及び他方の出力端子７２，７３を挟持する出力端子保持部２７，６４と、突起部８４が衝合する出力端子側突起衝合部２９，６６とで出力端子位置決め固定手段が構成してある。
【００６２】
次に、上記のように構成された一方の分割型ハウジング１Ａと他方の分割型ハウジング１Ｂと基板ユニット２を用いて高周波同軸コネクタを組立てる手順を説明する。
【００６３】
図２に示すように、一方の分割型ハウジング１Ａに基板ユニット２を挿入することにより、基板ユニット２の高周波基板７０を四つのスペーサ部１０に載せ、図７に示すように、入力端子７１を入力端子収容部５に収容し、一方の出力端子７２を一方の出力端子収容部６に収容すると共に、他方の出力端子７３を他方の出力端子収容部７に収容する。この場合、高周波基板７０に設けた四つの位置決め用孔部７９がスペーサ部１０の位置決め用ピン孔１１に一致する。
【００６４】
また、図７に示すように、入力端子７１が入力端子収容部５に収容されることで、入力端子７１の外筒８０が入力端子保持部１５に受けられ、外筒８０の周部の突起部８４の突起衝合部８４ａが、段差部よりなる入力端子側突起衝合部１７に衝合し、また、入力端子７１の絶縁座側突起部９０が入力端子保持部１５の突起挿入凹部１８に挿入される。
【００６５】
また、一方の出力端子７２が一方の出力端子収容部６に収容されることで、一方の出力端子７２の外筒８０が出力端子保持部２７に受けられ、外筒８０の周部の突起部８４の突起衝合部８４ａが段差部よりなる出力端子側突起衝合部２９に衝合し、また、一方の出力端子７２の絶縁座側突起部９０が出力端子保持部２７の突起挿入凹部３０に挿入される。
【００６６】
また、他方の出力端子７３が他方の出力端子収容部７に収容されることで、他方の出力端子７３の外筒８０が出力端子保持部２７に受けられ、外筒８０の周部の突起部８４の突起衝合部８４ａが段差部よりなる出力端子側突起衝合部２９に衝合し、また、他方の出力端子７３の絶縁座側突起部９０が出力端子保持部２７の突起挿入凹部３０に挿入される。
【００６７】
次に、図７に示すように、他方の分割型ハウジング１Ｂを一方の分割型ハウジング１Ａに、それぞれの合せ面１Ｃ，１Ｄで重ね合わせて、他方の分割型ハウジング１Ｂの基板ユニット収容部４１に基板ユニット２の高周波基板７０を収容し、入力端子７１を入力端子収容部４２に収容し、一方の出力端子７２を一方の出力端子収容部４３に収容すると共に、他方の出力端子７３を他方の出力端子収容部４４に収容する。
【００６８】
この場合、他方の分割型ハウジング１Ｂに設けたスペーサ部４８の位置決め用ピン４９を高周波基板７０の位置決め用孔部７９からスペーサ部１０の位置決め用ピン孔１１に圧入して、両スペーサ部１０，４８で高周波基板７０を挟持固定する。
【００６９】
また、入力端子７１が入力端子収容部４２に収容されることで、入力端子７１の外筒８０が入力端子保持部５３に受けられ、外筒８０の周部の突起部８４の突起衝合部８４ａが、段差部よりなる入力端子側突起衝合部５５に衝合する。
【００７０】
また、一方の出力端子７２が一方の出力端子収容部４３に収容されることで、一方の出力端子７２の外筒８０が出力端子保持部６４に受けられ、外筒８０の周部の突起部８４の突起衝合部８４ａが、段差部よりなる出力端子側突起衝合部６６に衝合する。
【００７１】
また、他方の出力端子７３が他方の出力端子収容部４４に収容されることで、他方の出力端子７３の外筒８０が出力端子保持部６４に受けられ、外筒８０の周部の突起部８４の突起衝合部８４ａが、段差部よりなる出力端子側突起衝合部６６に衝合する。
【００７２】
図７に示すように、他方の分割型ハウジング１Ｂを一方の分割型ハウジング１Ａに、それぞれの合せ面１Ｃ，１Ｄで重ね合わせて、高周波同軸コネクタを構成した状態で、両入力端子収容部５，４２で入力プラグ挿入部９１が形成されるし、両出力端子収容部６，４３で出力プラグ挿入部９２が形成されるし、両出力端子収容部７，４４で出力プラグ挿入部９３が形成される。
【００７３】
上記のように構成された高周波同軸コネクタ（受信用分波器）では、入力端子７１からの入力信号は、分波素子７５により周波数の違いによって分けられて一方及び他方の出力端子７２，７３から別々に取り出される。
【００７４】
この場合、高周波同軸コネクタの入力プラグ挿入部９１に、同軸ケーブルの端末の入力プラグ（いずれも図示せず）が挿入され、入力プラグに設けた係止突起（図示せず）を係止孔６８に係止して、入力プラグのプラグ端子（図示せず）が入力端子７１のコンタクト部８２ａに接続されると共に、入力プラグ端子の外筒（図示せず）が入力端子７１の外筒８０に接続される。また、高周波同軸コネクタの一方及び他方の出力プラグ挿入部９２，９３に、同軸ケーブルの端末の一方及び他方の出力プラグ（いずれも図示せず）が挿入され、これらの出力プラグに設けた係止突起（図示せず）を係止孔６９に係止して、これらの出力プラグのプラグ端子（図示せず）が一方及び他方の出力端子７２，７３のコンタクト部８２ａに接続されると共に、出力プラグ端子の外筒（図示せず）が一方及び他方の出力端子７２，７３の外筒８０に接続される。
【００７５】
以上説明したように、本発明に係る高周波同軸コネクタの実施例１によれば、一方及び他方の分割型ハウジング１Ａ，１Ｂをそれぞれの合せ面１Ｃ，１Ｄで重ね合わせてコネクタハウジング１を組立てることで、位置決め用ピン４９を基板ユニット２の高周波基板７０の位置決め用孔部７９から位置決め用ピン孔１１に圧入して、一方及び他方のスペーサ部１０，４８で高周波基板７０を挟持するようにして、コネクタハウジング１の組み込みと同時に基板ユニット２をコネクタハウジング１に収容固定することができる。
【００７６】
また、一方及び他方の分割型ハウジング１Ａ，１Ｂをそれぞれの合せ面１Ｃ，１Ｄで重ね合わせてコネクタハウジング１を組立てることで、一方及び他方の分割型ハウジング１Ａ，１Ｂのそれぞれの入力端子保持部１５，５３で入力端子７１を挟持すると共に、出力端子保持部２７，６４で一方及び他方の出力端子７２，７３を挟持することで、入力端子７１及び一方及び他方の出力端子７２，７３の固定を行なうことができるし、また、入力端子７１側の突起部８４の突起衝合部８４ａを入力端子側突起衝合部１７，５５に衝合し、また、一方及び他方の出力端子７２，７３側の突起部８４の突起衝合部８４ａを出力端子側突起衝合部２９，６６に衝合して入力端子７１及び一方及び他方の出力端子７２，７３の位置決めを行なうことができる。したがって、組立て工数が少なくなるし、製品構造が簡素になって、生産コストを低くすることができる。
【００７７】
しかも、入力端子７１及び一方及び他方の出力端子７２，７３のそれぞれにプラグを挿抜する際に、このプラグ挿抜（特に、挿入嵌合時）の負荷が入力端子７１及び一方及び他方の出力端子７２，７３に加わるが、このようなプラグ挿抜の負荷に対して上記した位置決めで対処することができて、入力端子７１及び一方及び他方の出力端子７２，７３の基板半田付け部分への負荷を軽減することができる。
【００７８】
また、本発明に係る高周波同軸コネクタの実施例１によれば、絶縁座側突起部９０を突起挿入凹部１８，３０に挿入することで、入力端子７１及び一方及び他方の出力端子７２，７３のより一層の位置決めが可能になり、入力端子７１及び一方及び他方の出力端子７２，７３の基板半田付け部分への負荷をより一層軽減することができる。また、相手のプラグコネクタの抜去時の抜去力が中心端子８２を介して絶縁座８１に加わるが、絶縁座側突起部９０と、突起挿入凹部３０の抜去方向の当接により入力端子７１、出力端子７２，７３への負荷が軽減でき、また、中心端子８２の接続片部８２ｂの半田付け部分への負荷を直接的に軽減させることができる。
【実施例２】
【００７９】
本発明に係る高周波同軸コネクタの実施例２を、図２０乃至図２５を参照して説明する。実施例２では、入力端子１０１と一方及び他方の出力端子１０２，１０３は同じ構成であり、図２１に示すように、それぞれの外筒１００の周部には、突起衝合部１０５ａをプラグ端子嵌合部１０４とは反対側に位置させた突起部１０５と、突起衝合部１０６ａをプラグ端子嵌合部１０４側に位置させた突起部１０６とが、外筒１００の周方向に互い違いに設けてある。そして、入力端子１０１と一方及び他方の出力端子１０２，１０３の他の構成は、上記した本発明の高周波同軸コネクタの実施例１の入力端子７１と一方及び他方の出力端子７２，７３と同じ構成である。
【００８０】
上記したように、入力端子１０１と、一方及び他方の出力端子１０２，１０３が、外筒１００の周部に、突起衝合部１０５ａをプラグ端子嵌合部１０４とは反対側に位置させた突起部１０５と、突起衝合部１０６ａをプラグ端子嵌合部１０４側に位置させた突起部１０６とを有するために、一方の分割型ハウジング１Ａと他方の分割型ハウジング１Ｂの入力端子収容部、一方の出力端子収容部及び他方の出力端子収容部における端子保持部の構成は、上記した本発明の実施例１の場合と異なる。
【００８１】
すなわち、図２０に示すように、一方の分割型ハウジング１Ａにおける入力端子保持部１１０には凹溝からなる突起衝合溝１１２が形成してあり、突起衝合溝１１２の両側壁部が入力端子側突起衝合部１１３ａ、１１３ｂにしてある。また、一方の分割型ハウジング１Ａにおける一方及び他方の出力端子保持部１１４，１１５には凹溝からなる突起衝合溝１１７が形成してあり、突起衝合溝１１７の両側壁部が出力端子側突起衝合部１１８ａ、１１８ｂにしてある。
【００８２】
他方の分割型ハウジング１Ｂにおける入力端子保持部１２０には凹溝からなる突起衝合溝１２２が形成してあり、突起衝合溝１２２の両側壁部が入力端子側突起衝合部１２３ａ、１２３ｂにしてある。また、他方の分割型ハウジング１Ｂにおける一方及び他方の出力端子保持部１２４，１２５には凹溝からなる突起衝合溝１２７が形成してあり、突起衝合溝１２７の両側壁部が出力端子側突起衝合部１２８ａ、１２８ｂにしてある。なお、本発明に係る高周波同軸コネクタの実施例２における他の構成は、本発明に係る高周波同軸コネクタの実施例１と同じであるために説明を省略する。
【００８３】
したがって、入力端子１０１が、一方の分割型ハウジング１Ａ及び他方の分割型ハウジング１Ｂの入力端子収容部５，４２に収容されることで、入力端子１０１の外筒１００が入力端子保持部１１０，１２０に挟持され、外筒１００の周部の突起部１０５，１０６が突起衝合溝１１２，１２２内に配置されて、図２２に示すように、一方の突起部１０５の突起衝合部１０５ａが入力端子側突起衝合部１１３ａ，１２３ａに衝合し、図２３に示すように、他方の突起部１０６の突起衝合部１０６ａが入力端子側突起衝合部１１３ｂ，１２３ｂに衝合する。
【００８４】
また、図２０に示すように、一方及び他方の出力端子１０２，１０３が、一方の分割型ハウジング１Ａ及び他方の分割型ハウジング１Ｂの一方及び他方の出力端子収容部６，４３、７，４４に収容されることで、一方及び他方の出力端子１０２，１０３の外筒１００が出力端子保持部１１４，１２４に挟持され、突起部１０５，１０６が突起衝合溝１１７，１２７内に配置されて、図２４に示すように、一方の突起部１０５の突起衝合部１０５ａが出力端子側突起衝合部１１８ｂ，１２８ｂに衝合し、図２５に示すように、他方の突起部１０６の突起衝合部１０６ａが出力端子側突起衝合部１１８ａ，１２８ａに衝合する。このために、プラグ挿抜の両方向の負荷に対して対処するようになる。
【００８５】
本発明に係る高周波同軸コネクタの実施例２によれば、プラグ挿抜の両方向の負荷に対して対処することができて、入力端子１０１及び一方及び他方の出力端子１０２，１０３の基板半田付け部分への負荷を軽減することができる。
【００８６】
上記した本発明に係る高周波同軸コネクタの実施例１及び実施例２では、一方の分割型ハウジング１Ａの基板ユニット収容部４に、位置決め用ピン孔１１を有するスペーサ部１０を設け、他方の分割型ハウジング１Ｂの基板ユニット収容部４１に、位置決め用ピン４９を有するスペーサ部４８を設けるようにしたが、一方の分割型ハウジング１Ａの基板ユニット収容部４に、位置決め用ピン４９を有するスペーサ部４８を設け、一方の分割型ハウジング１Ａの基板ユニット収容部４に、位置決め用ピン４９を有するスペーサ部４８を設けるようにしてもよい。
【００８７】
上記した本発明に係る高周波同軸コネクタの実施例１及び実施例２では、図７に示すように、他方の分割型ハウジング１Ｂを一方の分割型ハウジング１Ａに、それぞれの合せ面１Ｃ，１Ｄで重ね合わせて、高周波同軸コネクタを構成した状態で、両入力端子収容部５，４２で入力プラグ挿入部９１を形成して、この入力プラグ挿入部９１内に入力端子７１を挿入し、両出力端子収容部６，４３で出力プラグ挿入部９２を形成して、この出力プラグ挿入部９２内に出力端子７２を挿入し、両出力端子収容部７，４４で出力プラグ挿入部９３を形成して、この出力プラグ挿入部９３内に出力端子７３を挿入するようにしたが、これに限らず、入力端子７１が入力プラグ挿入部９１から一部または全部露出するようにしてもよいし、また、出力端子７２が出力プラグ挿入部９２から一部または全部露出するようにしてもよいし、出力端子７３が出力プラグ挿入部９３から一部または全部露出するようにしてもよい。
【００８８】
また、本発明に係る高周波同軸コネクタの実施例１及び実施例２では、入力端子７１と出力端子７２，７３がコネクタハウジング１の対向方向に位置させてあるが、これに限らず、入力端子７１と出力端子７２，７３がコネクタハウジング１の同じ側、垂直上面側等に位置させてもよい。
【００８９】
また、本発明に係る高周波同軸コネクタの実施例１及び実施例２では、入力端子収容部５と出力端子収容部４３，４４がコネクタハウジング１の対向方向に位置させてあるが、これに限らず、入力端子収容部５と出力端子収容部４３，４４をコネクタハウジング１の何れか一方の側に位置させてもよい。
【００９０】
また、本発明に係る高周波同軸コネクタの実施例１及び実施例２では、一方の分割型ハウジング１Ａの基板ユニット収容部４に、位置決め用ピン孔１１を有するスペーサ部１０を設け、他方の分割型ハウジング１Ｂの基板ユニット収容部４１に、位置決め用ピン４９を有するスペーサ部４８を設け、位置決め用ピン４９を位置決め用ピン孔１１に圧入することで一方の分割型ハウジング１Ａと他方の分割型ハウジング１Ｂを固定するようにしたが、これに限らず、一方の分割型ハウジング１Ａと他方の分割型ハウジング１Ｂのそれぞれの両側壁部又は一方の側壁部に弾性片を設けて、両方又はいずれか一方の弾性片を係脱可能に係止させる、所謂パッチン止め構造で一方の分割型ハウジング１Ａと他方の分割型ハウジング１Ｂを固定するようにしてもよい。
【００９１】
また、本発明に係る高周波同軸コネクタの実施例１及び実施例２では、入力端子７１からの入力信号を、分波素子７５により周波数の違いによって分けて一方及び他方の出力端子７２，７３から別々に取り出す構成にしたが、分波素子、高周波基板対応により多分波も可能であるし、高周波基板の端子パターン変更により多シリーズ端子の搭載も可能である。また、分波だけでなく、合成コネクタとして多入力一出力としてもよい。また、高周波基板に実装された分波合成のチップ形状の分波素子７５に変えて、コイル、コンデンサ、抵抗等を使用した分波回路を高周波基板に設けるようにしてもよいし、また、多機能素子を搭載して多機能としてもよい。
【産業上の利用可能性】
【００９２】
本発明に係る高周波同軸コネクタによれば、一方及び他方の分割型ハウジングをそれぞれの合せ面で重ね合わせてコネクタハウジングを組立てることで、基板ユニットを基板ユニット収容部内に収納固定して高周波同軸コネクタを作成できるために、組立て工数が少なくなるし、製品構造が簡素になって、生産コストを低くすることができるという効果を有しており、信号を分波する分波器として使用の高周波同軸コネクタに有用である。
【符号の説明】
【００９３】
１      コネクタハウジング
１Ａ    一方の分割型ハウジング
１Ｂ    他方の分割型ハウジング
１Ｃ    合せ面
１Ｄ    合せ面
２      基板ユニット
４      基板ユニット収容部
５      入力端子収容部
６      一方の出力端子収容部
７      他方の出力端子収容部
１０    スペーサ部（基板ユニット位置決め固定手段）（一方のスペーサ部）
１１    位置決め用ピン孔（基板ユニット位置決め固定手段）
１５    入力端子保持部（入力端子位置決め固定手段）
１７    入力端子側突起衝合部（段差部）（入力端子位置決め固定手段）
１８    突起挿入凹部
２７    出力端子保持部（出力端子位置決め固定手段）
２９    出力端子側突起衝合部（段差）（出力端子位置決め固定手段）
３０    突起挿入凹部
４１    基板ユニット収容部
４２    入力端子収容部
４３    一方の出力端子収容部
４４    他方の出力端子収容部
４８    スペーサ部（基板ユニット位置決め固定手段）（他方のスペーサ部）
４９    位置決め用ピン（基板ユニット位置決め固定手段）
５３    入力端子保持部（入力端子位置決め固定手段）
５５    入力端子側突起衝合部（段差）（入力端子位置決め固定手段）
６４    出力端子保持部（出力端子位置決め固定手段）
６６    出力端子側突起衝合部（段差部）
７０    高周波基板（基板）
７１    入力端子
７２    一方の出力端子
７３    他方の出力端子
７４    分波回路パターン
７５    分波素子
７９    位置決め用孔部（基板ユニット位置決め固定手段）
８０    外筒
８１    絶縁座
８２    中心端子
８３    プラグ端子嵌合部
８４    突起部（入力端子位置決め固定手段）
８４ａ  突起衝合部（入力端子位置決め固定手段）
８５    外筒端子
９０    絶縁座側突起部
１００  外筒
１０１  入力端子
１０２  一方の出力端子
１０３  他方の出力端子
１０４  プラグ端子嵌合部
１０５  突起部
１０５ａ  突起衝合部
１０６  突起部
１０６ａ  突起衝合部
１１０  入力端子保持部
１１２  突起衝合溝（凹溝）
１１３ａ、１１３ｂ  入力端子側突起衝合部
１１４  一方の出力端子保持部
１１５  他方の出力端子保持部
１１７  突起衝合溝（凹溝）
１１８ａ、１１８ｂ  出力端子側突起衝合部
１２０  入力端子保持部
１２２  突起衝合溝（凹溝）
１２３ａ、１２３ｂ  入力端子側突起衝合部
１２４  一方の出力端子保持部
１２５  他方の出力端子保持部
１２７  突起衝合溝（凹溝）
１２８ａ、１２８ｂ  出力端子側突起衝合部
【図１】
2010272252.tif 000003
【図２】
2010272252.tif 000004
【図３】
2010272252.tif 000005
【図４】
2010272252.tif 000006
【図５】
2010272252.tif 000007
【図６】
2010272252.tif 000008
【図７】
2010272252.tif 000009
【図８】
2010272252.tif 000010
【図９】
2010272252.tif 000011
【図１０】
2010272252.tif 000012
【図１１】
2010272252.tif 000013
【図１２】
2010272252.tif 000014
【図１３】
2010272252.tif 000015
【図１４】
2010272252.tif 000016
【図１５】
2010272252.tif 000017
【図１６】
2010272252.tif 000018
【図１７】
2010272252.tif 000019
【図１８】
2010272252.tif 000020
【図１９】
2010272252.tif 000021
【図２０】
2010272252.tif 000022
【図２１】
2010272252.tif 000023
【図２２】
2010272252.tif 000024
【図２３】
2010272252.tif 000025
【図２４】
2010272252.tif 000026
【図２５】
2010272252.tif 000027